(57)【要約】      （修正有）【課題】裾がはみ出したり、もたついたりしないブラウスを提供する。【解決手段】裾１０ｅをスカート又はズボンの中に入れた状態で着用されるブラウス１０において、前記ブラウス１０の後身頃１０ａと前身頃脇部分１０ｂ１を続き裁ちにし、前記両者１０ａ、１０ｂ１を伸縮部材Ｓで形成する。直立状態のブラウスの着用者が、お辞儀をしたり、前屈み等してブラウスが引っ張られると、前記伸縮部材が伸びるとともに、元の姿勢に戻り直立状態になると、前記伸縮部材が縮み、ブラウスは元の状態に戻る。そのため、ブラウスがスカートの外にはみ出したり、もたついたりしないので、正常な状態を維持することができる。【選択図】図１
0003174804.tif 000002
【実用新案登録請求の範囲】
【請求項１】
裾をスカート又はパンツの中に入れた状態で着用されるブラウスにおいて、
少なくとも、前記ブラウスの後身頃が伸縮部材で形成されていることを特徴とするブラウス。
【請求項２】
ブラウスの前身頃脇部分が、伸縮部材で形成されていることを特徴とする請求項１記載のブラウス。
【請求項３】
ブラウスの後身頃と前身頃脇部分が、続き裁ちされていることを特徴とする請求項２記載のブラウス。
【請求項４】
ブラウスの長袖の内側が、伸縮部材で形成されていることを特徴とする請求項1、２、又は、３記載のブラウス。
【請求項５】
ブラウスの前脇身頃が、伸縮部材で形成されていることを特徴とする請求項1、２、３、又は、４記載のブラウス。
【請求項６】
伸縮部材は、ニット素材であることを特徴とする請求項1、２、３、４、又は、５記載のブラウス。
【考案の詳細な説明】
【技術分野】
【０００１】
この考案は、ブラウスに関するものであり、特に、職場ユニホームとして用いられるブラウスに関するものである。
【背景技術】
【０００２】
従来のブラウスは、図５（Ａ）に示すように、裾をスカート２の中に入れ、スカート上端部のベルト部３で締付けている。
【０００３】
前記ブラウスは、綿や化繊などの非伸縮性の生地により形成されているので、図５（Ｂ）に示すように、ブラウス１の着用者Ｈが、前屈みになり背中を丸めると、後身頃１ａが引っ張られて、裾がずり上がってしまう。
【０００４】
そして、図5（Ｃ）に示すように、前記着用者Ｈが元の姿勢に戻り、直立状態になると、前記裾がスカート２からはみ出したり、前記ブラウス１のベルト部３近傍がもたついて弛み部５が発生したりする。この様な状態は、だらしなく見えるので、好ましくない。そのため、バンド部３を緩め、前記裾をスカート２の中に入れ直して服装を整えなければならない。この様な問題は、ブラウス１の着用者Ｈが前屈みになったときのみならず、手を上方向や横方向等に伸ばしたときにも発生する。
【０００５】
そこで、前記問題を解決するため、「ブラウス本体の裾の全周を取り巻く形で、メリヤス等の伸縮素材が取り付けられているブラウス」、が開発されている（例えば、特許術文献１、参照）。これは、裾に取り付けた伸縮部材でブラウスを身体に固定することにより、裾が表にでないようにしたものである。
【先行技術文献】
【特許文献】
【０００６】
【特許文献１】実用新案登録第３１６６９１２号公報
【考案の概要】
【考案が解決しようとする課題】
【０００７】
従来例では、お辞儀やかがむなどの屈伸時の動作に対応する縦方向の動きに関しては、服のゆとりでカバーせざるを得ないので、運動後パンツ（ズボン）やスカートから、ゆとり分がずり上がりはみ出してしまう可能性がある。又、ブラウスのゆとりが少ないと、引っ張られて伸縮部材がウエストの細い部分に移動してもたついてしまい、だらしなく見える恐れがある。
【０００８】
この考案は、上記事情に鑑み、ブラウスの裾がはみ出したり、もたついたりしないようにすることを目的とする。
【課題を解決するための手段】
【０００９】
この考案は、裾をスカート又はズボンの中に入れた状態で着用されるブラウスにおいて、少なくとも、前記ブラウスの後身頃を伸縮部材で形成したことを特徴とする。
【００１０】
この考案は、ブラウスの前身頃脇部分が、伸縮部材で形成されていることを特徴とする。この考案は、ブラウスの後身頃と前身頃脇部分が、続き裁ちされていることを特徴とする。この考案のブラウスの長袖の内側が、伸縮部材で形成されていることを特徴とする。この考案は、ブラウスの前脇身頃が、伸縮部材で形成されていることを特徴とする。この考案の伸縮部材は、ニット素材であることを特徴とする。
【考案の効果】
【００１１】
この考案は、少なくとも、前記ブラウスの後身頃を伸縮部材で形成したので、直立状態のブラウスの着用者が、お辞儀をしたり、前屈み等してブラウスが引っ張られると、前記伸縮部材が伸びるとともに、元の姿勢に戻り直立状態になると、前記伸縮部材が縮み、ブラウスは元の状態に戻る。そのため、ブラウスがスカートの外にはみ出したり、もたついたりしないので、正常な状態を維持することができる。
【図面の簡単な説明】
【００１２】
【図１】は、本考案の第1実施形態を示す図で、図１（Ａ）は正面図、図１（Ｂ）は背面図である。
【図２】は、合わせ部の一部を開衿した状態を示す要部拡大図である。
【図３】は、本考案の第２実施形態を示す図で、図３（Ａ）は正面図、図３（Ｂ）は背面図である。
【図４】は、本考案の第３実施形態を示す図で、図４（Ａ）は正面図、図４（Ｂ）は背面図である。
【図５】は、従来例を示す図で、図５（Ａ）は、直立状態時におけるブラウスの状態、図５（Ｂ）は、前屈みになったときのブラウスの状態、図５（Ｃ）は、状態に戻り直立状態になったときのブラウスの状態、を示す。
【考案を実施するための形態】
【００１３】
本考案の第1実施形態を図１、図２により説明する。ブラウス１０は、後身頃１０ａと、該後身頃１０ａに対向する前身頃１０ｂと、前記両身頃１０ａ，１０ｂの上部側に連続する長袖１０ｃと、衿１０ｄと、を備えている。
【００１４】
前記後身頃１０ａと前身頃１０ｂの一部（前身頃脇部分）１０ｂ１は、伸縮部材Ｓを続き立ちすることにより形成される。前記前身頃脇部分１０ｂ１は、例えば、脇線を５ｃｍ程前に移動した位置まで伸びているので、前記後身頃１０ａがその分拡張された状態となる。そのため、前記後身頃１０ａだけでなく前身頃１０ｂの脇部分も伸縮するので、腕の上への動きにも円滑に対応することができる。
【００１５】
前記伸縮部材Ｓとして、例えば、ニットが用いられるが、このニットの素材として、例えば、セラミックを織り込んだ特殊ポリマーを使用した、微細な溝を持つ異型断面の糸が用いられる。この素材を用いたニットは、下着の透けを防止し、優れた吸水性と速乾性を備えているので、汗をかいてもさわやかな着心地を維持することができる。
【００１６】
前記後身頃１０ａ及び前身頃１０ｂには、それぞれ２本のダーツ１２が形成されているが、このダーツ１２は、省略しても良い。又、前記後身頃１０ａのヨーク（肩部）ｙは、前身頃１０ｂ、長袖１０ｃ及び衿１０ｄと同一の非伸縮部材、例えば、ポリエステル８５％、綿１５％の交織素材、により形成されているが、このヨークｙを前記ニットで形成し、後身頃１０ａ全体を伸縮部材にしても良い。
【００１７】
前記前身頃１０ｂには、合わせ部１４が設けられている。この合わせ部１４の左身頃１４ａには、縦方向に間隔をおいて複数の釦１６が設けられているが、胸部近傍には、内掛け釦１６ａが設けられている。前記合わせ部１４の右身頃１４ｂは、互いに重合する上部材と下部材とから構成されている。前記右見頃１４ｂには、前記釦１６，１６ａと対応する位置に釦の挿入口１８，１８ａが設けられているが、前記挿入口１８は、前記上下部材を貫通して設けられ、又、前記挿入口１８ａは、前記下部材にのみ設けられている。
【００１８】
この合わせ部１４では、前記左身頃１４ａと右見頃１４ｂとを合わせ、釦１６，１６ａを挿入口１８，１８ａに挿入すると、内掛け釦１６ａが掛かかるので、前記釦１６の隙間からインナーや下着が見えることはない。
【００１９】
次に、本実施形態の作動について説明する。ブラウス１０の着用者は、ブラウス１０の裾１０ｅをスカートの中に入れた後、該スカートのベルト部を締め付けて前記裾１０ｅを身体に押し付け固定する。このとき、伸縮部材Ｓは、自然状態を維持している。
【００２０】
前記着用者が、物を取ろうとしてしゃがんだり、高いところに手を伸ばしたりすると、後身頃１０ａや前身頃１０ｂの一部（前身頃脇部分）１０ｂ１に配設されている伸縮部材Ｓが伸びる。そのため、裾１０ｅがずり上がったり、表にはみ出したりすることはない。
【００２１】
前記着用者が、元の姿勢に戻り直立状態になると、前記伸縮部材Ｓに加わる力が解除されるので、前記伸縮部材Ｓは縮み、元の状態（自然状態）に戻る。そのため、裾１０ｅがスカートのベルト部近傍でもたついたり、表にはみ出したりすることはない。
【００２２】
この様に、着用者の動きに対応して伸縮部材Ｓが円滑に伸び縮みするので、ブラウスの裾１０ｅは、所定の位置に維持される。そのため、裾１０ｅがスカートからはみ出たり、又は、もたついたりするのを防止することができる。
【００２３】
この考案の第２実施形態を図３により説明するが、図１、図２と同一図面符号は、その名称も機能も同一である。この実施形態と第１実施形態との相違点は、伸縮部材Ｓを後身頃１０ａのヨーク部１０ｆと長袖１０ｃの内側１０ｃ１にも配設したことである。
【００２４】
この実施形態では、伸縮部材Ｓを長袖１０ｃの内側１０ｃ１にも配設しているので、遠くの電話を取ったりするときに、脇がたるんでもさもさしたり、袖回りが伸びて裾が出たりするのを防止することができる。
【００２５】
この考案の第３実施形態を図４により説明するが、図１、２と同一図面符号は、その名称も機能も同一である。この実施形態と第１実施形態との相違点は、伸縮部材Ｓを後身頃１０ａのヨーク部１０ｆと前脇身頃１０ｇに配設したことである。この様にすると、袖１０ｃがさらに動きやすくなる。
【００２６】
この考案の実施形態は、上記に限定されるものではなく、例えば、次の様にしても良い。
（１）ブラウスとして、長袖のブラウスの代わりに、短袖のブラウスを用いるができる。
（２）伸縮部材は、後見頃などの長手方向に全長に亘って配設する代わりに、長手方向に沿って非伸縮部材、伸縮部材を順次繰返し配設し、該伸縮部材を間欠的に配置するようにしても良い。
【符号の説明】
【００２７】
１      ブラウス
１ａ    後身頃
２      スカート
３      バンド部
１０    ブラウス
１０ａ  後身頃
１０ｂ  前身頃
１０ｃ  長袖  
１０ｄ  衿
１０ｅ  裾
１０ｆ  ヨーク部
１０ｇ  前脇身頃
１４    合わせ部
【図１】
0003174804.tif 000003
【図２】
0003174804.tif 000004
【図３】
0003174804.tif 000005
【図４】
0003174804.tif 000006
【図５】
0003174804.tif 000007